(57)【要約】【課題】  接続作業における作業性の向上を確保した上で可動ブロックの高い剛性を確保する。【解決手段】  対物レンズ駆動装置８に、固定ブロック１０と、対物レンズ２９とレンズホルダー２８とを有し固定ブロックに対してフォーカス方向及びトラッキング方向へ動作される可動ブロック１１と、固定ブロックと可動ブロックを連結する複数の支持バネ２６、２６、・・・と、フォーカス調整用磁気回路６０と、トラッキング調整用磁気回路７０とを設け、レンズホルダーを第１の樹脂３０と一部を除いて第１の樹脂の内部に位置される第２の樹脂３１とによって一体に形成し、第２の樹脂のうち第１の樹脂の表面に露出された部分にメッキ処理を施して所定の接続パターンを有する導通部３５を形成し、導通部をフォーカスコイル及びトラッキングコイルに接続した。【選択図】        図９
2009026365.tif 000002
【特許請求の範囲】
【請求項１】
ディスクテーブルに装着されるディスク状記録媒体の半径方向へ移動される移動ベースと該移動ベースに配置された対物レンズ駆動装置とを備えると共に上記ディスクテーブルに装着された上記ディスク状記録媒体に対してレーザー光を照射する光ピックアップであって、
上記対物レンズ駆動装置は、
少なくとも一部が上記移動ベースに固定された固定ブロックと、
対物レンズと該対物レンズを保持するレンズホルダーとを有すると共に上記固定ブロックに対して少なくとも上記ディスク状記録媒体の記録面に離接する方向であるフォーカス方向及び上記ディスク状記録媒体の略半径方向であるトラッキング方向へ動作される可動ブロックと、
上記固定ブロックと上記可動ブロックを連結する複数の支持バネと、
上記可動ブロックを上記フォーカス方向へ動作させマグネットとフォーカスコイルを有するフォーカス調整用磁気回路と、
上記可動ブロックを上記トラッキング方向へ動作させマグネットとトラッキングコイルを有するトラッキング調整用磁気回路とを備え、
上記可動ブロックの上記レンズホルダーを第１の樹脂と一部を除いて該第１の樹脂の内部に位置される第２の樹脂とによって一体に形成し、
上記第２の樹脂のうち上記第１の樹脂の表面に露出された部分にメッキ処理を施して所定の接続パターンを有する導通部を形成し、
上記導通部を上記フォーカスコイル及び上記トラッキングコイルに接続した
ことを特徴とする光ピックアップ。
【請求項２】
上記フォーカスコイル及び上記トラッキングコイルを上記可動ブロックに取り付けた
ことを特徴とする請求項１に記載の光ピックアップ。
【請求項３】
ディスク状記録媒体が装着されるディスクテーブルと該ディスクテーブルに装着される上記ディスク状記録媒体に対して対物レンズを介してレーザー光を照射する光ピックアップとを備え、該光ピックアップが上記上記ディスクテーブルに装着される上記ディスク状記録媒体の半径方向へ移動される移動ベースと該移動ベースに配置された対物レンズ駆動装置とを有するディスクドライブ装置であって、
上記対物レンズ駆動装置は、
少なくとも一部が上記移動ベースに固定された固定ブロックと、
対物レンズと該対物レンズを保持するレンズホルダーとを有すると共に上記固定ブロックに対して少なくとも上記ディスク状記録媒体の記録面に離接する方向であるフォーカス方向及び上記ディスク状記録媒体の略半径方向であるトラッキング方向へ動作される可動ブロックと、
上記固定ブロックと上記可動ブロックを連結する複数の支持バネと、
上記可動ブロックを上記フォーカス方向へ動作させマグネットとフォーカスコイルを有するフォーカス調整用磁気回路と、
上記可動ブロックを上記トラッキング方向へ動作させマグネットとトラッキングコイルを有するトラッキング調整用磁気回路とを備え、
上記可動ブロックの上記レンズホルダーを第１の樹脂と一部を除いて該第１の樹脂の内部に位置される第２の樹脂とによって一体に形成し、
上記第２の樹脂のうち上記第１の樹脂の表面に露出された部分にメッキ処理を施して所定の接続パターンを有する導通部を形成し、
上記導通部を上記フォーカスコイル及び上記トラッキングコイルに接続した
ことを特徴とするディスクドライブ装置。
【請求項４】
ディスクテーブルに装着されるディスク状記録媒体の半径方向へ移動される移動ベースと該移動ベースに配置された対物レンズ駆動装置とを備え、該対物レンズ駆動装置が、少なくとも一部が上記移動ベースに固定された固定ブロックと、対物レンズと該対物レンズを保持するレンズホルダーとを有すると共に上記固定ブロックに対して少なくとも上記ディスク状記録媒体の記録面に離接する方向であるフォーカス方向及び上記ディスク状記録媒体の略半径方向であるトラッキング方向へ動作される可動ブロックと、上記固定ブロックと上記可動ブロックを連結する複数の支持バネと、上記可動ブロックを上記フォーカス方向へ動作させマグネットとフォーカスコイルを有するフォーカス調整用磁気回路と、上記可動ブロックを上記トラッキング方向へ動作させマグネットとトラッキングコイルを有するトラッキング調整用磁気回路とを有し、上記ディスクテーブルに装着された上記ディスク状記録媒体に対してレーザー光を照射する光ピックアップの製造方法であって、
上記可動ブロックの上記レンズホルダーを第１の樹脂と一部を除いて第１の樹脂の内部に位置される第２の樹脂とによって一体に形成し、
上記第２の樹脂のうち上記第１の樹脂の表面に露出された部分にメッキ処理を施して所定の接続パターンを有する導通部を形成し、
上記導通部を上記フォーカスコイル及び上記トラッキングコイルに接続した
ことを特徴とする光ピックアップの製造方法。
【発明の詳細な説明】
【技術分野】
【０００１】
本発明は光ピックアップ、ディスクドライブ装置及び光ピックアップの製造方法に関する。詳しくは、可動ブロックのレンズホルダーを種類の異なる第１の樹脂と第２の樹脂によって一体に形成して配線の接続作業における作業性の向上を確保した上で可動ブロックの高い剛性を確保する技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップはディスク状記録媒体の半径方向へ移動される移動ベースと該移動ベースに配置された対物レンズ駆動装置とを備え、該対物レンズ駆動装置は、固定ブロックと該固定ブロックに金属製のワイヤー等の支持バネを介して支持された可動ブロックとを備えている。
【０００４】
光ピックアップにあっては、対物レンズを有する可動ブロックを固定ブロックに対してディスク状記録媒体の記録面に離接する方向であるフォーカス方向へ動作させてフォーカス調整を行うと共に可動ブロックを固定ブロックに対してディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００５】
対物レンズ駆動装置においては、可動ブロックをフォーカス方向へ動作させるフォーカス用磁気回路のフォーカスコイルと可動ブロックをトラッキング方向へ動作させるトラッキング用磁気回路のトラッキングコイルとに通電することにより、可動ブロックがフォーカス方向又はトラッキング方向に動作される（例えば、特許文献１参照）。
【０００６】
このようなフォーカスコイルとトラッキングコイルに対する通電は、可動ブロックと固定ブロックを連結する支持バネを介して行われるため、該支持バネの可動ブロックに連結された部分をフォーカスコイルとトラッキングコイルに電気的に接続する作業が必要とされる。
【０００７】
従来の対物レンズ駆動装置には、可動ブロックに小型の回路基板を貼り付け、この回路基板に支持バネとフォーカスコイル及びトラッキングコイルを各別に接続し、支持バネとフォーカスコイル及びトラッキングコイルとを回路基板を介して接続したものがある。
【０００８】
しかしながら、このような対物レンズ駆動装置にあっては、可動ブロックに回路基板を貼り付けるため、対物レンズ駆動装置の小型化を阻害したり、回路基板の貼付作業や回路基板に対する支持バネや各コイルの接続作業等、多くの作業が必要となり、作業性が悪いと言う問題もある。
【０００９】
そこで、対物レンズ駆動装置には、樹脂材料によって形成されたレンズホルダーの表面にメッキ処理を施して接続パターンを形成し、この接続パターンに支持バネ及び各コイルを接続して支持バネと各コイルの電気的な接続を図るようにしたものがある。
【００１０】
【特許文献１】特開２０００−２９８８５６号公報
【発明の開示】
【発明が解決しようとする課題】
【００１１】
ところで、近年、ディスクドライブ装置にあっては、例えば、４倍速、８倍速、１６倍速と言ったディスク状記録媒体の回転の高速化が進み、対物レンズ駆動装置における可動ブロックの動作も高速化を図る必要性がある。
【００１２】
ところが、樹脂材料によって形成されたレンズホルダーの表面に接続パターンを形成した従来の対物レンズ駆動装置にあっては、レンズホルダーを形成する樹脂材料がメッキ処理に適合する材料に限定されてしまい、可動ブロックの剛性が不足して可動ブロックの動作の高速化に対応することが困難となり、必要とされる特性を確保することができないと言う問題が生じてしまう。
【００１３】
そこで、本発明光ピックアップ、ディスクドライブ装置及び光ピックアップの製造方法は、上記した問題点を克服し、接続作業における作業性の向上を確保した上で可動ブロックの高い剛性を確保することを課題とする。
【課題を解決するための手段】
【００１４】
光ピックアップ及びディスクドライブ装置は、上記した課題を解決するために、対物レンズ駆動装置に、少なくとも一部が移動ベースに固定された固定ブロックと、対物レンズと該対物レンズを保持するレンズホルダーとを有すると共に固定ブロックに対して少なくともディスク状記録媒体の記録面に離接する方向であるフォーカス方向及びディスク状記録媒体の略半径方向であるトラッキング方向へ動作される可動ブロックと、固定ブロックと可動ブロックを連結する複数の支持バネと、可動ブロックをフォーカス方向へ動作させマグネットとフォーカスコイルを有するフォーカス調整用磁気回路と、可動ブロックをトラッキング方向へ動作させマグネットとトラッキングコイルを有するトラッキング調整用磁気回路とを設け、可動ブロックのレンズホルダーを第１の樹脂と一部を除いて第１の樹脂の内部に位置される第２の樹脂とによって一体に形成し、第２の樹脂のうち第１の樹脂の表面に露出された部分にメッキ処理を施して所定の接続パターンを有する導通部を形成し、導通部をフォーカスコイル及びトラッキングコイルに接続したものである。
【００１５】
光ピックアップの製造方法は、上記した課題を解決するために、可動ブロックのレンズホルダーを第１の樹脂と一部を除いて第１の樹脂の内部に位置される第２の樹脂とによって一体に形成し、第２の樹脂のうち第１の樹脂の表面に露出された部分にメッキ処理を施して所定の接続パターンを有する導通部を形成し、導通部をフォーカスコイル及びトラッキングコイルに接続したものである。
【００１６】
従って、光ピックアップ、ディスクドライブ装置及び光ピックアップの製造方法にあっては、メッキ処理の適合性に拘わらず第１の樹脂の選択が可能となる。
【発明の効果】
【００１７】
本発明光ピックアップは、ディスクテーブルに装着されるディスク状記録媒体の半径方向へ移動される移動ベースと該移動ベースに配置された対物レンズ駆動装置とを備えると共にディスクテーブルに装着されたディスク状記録媒体に対してレーザー光を照射する光ピックアップであって、対物レンズ駆動装置は、少なくとも一部が移動ベースに固定された固定ブロックと、対物レンズと該対物レンズを保持するレンズホルダーとを有すると共に固定ブロックに対して少なくともディスク状記録媒体の記録面に離接する方向であるフォーカス方向及びディスク状記録媒体の略半径方向であるトラッキング方向へ動作される可動ブロックと、固定ブロックと可動ブロックを連結する複数の支持バネと、可動ブロックをフォーカス方向へ動作させマグネットとフォーカスコイルを有するフォーカス調整用磁気回路と、可動ブロックをトラッキング方向へ動作させマグネットとトラッキングコイルを有するトラッキング調整用磁気回路とを備え、可動ブロックのレンズホルダーを第１の樹脂と一部を除いて第１の樹脂の内部に位置される第２の樹脂とによって一体に形成し、第２の樹脂のうち第１の樹脂の表面に露出された部分にメッキ処理を施して所定の接続パターンを有する導通部を形成し、導通部をフォーカスコイル及びトラッキングコイルに接続したことを特徴とする。
【００１８】
従って、第１の樹脂として対物レンズ駆動装置に必要な特性に応じた材料を選択することが可能であり、フォーカスコイル及びトラッキングコイルと支持バネの接続作業における作業性の向上を確保した上で可動ブロックの高い剛性を確保することができる。
【００１９】
請求項２に記載した発明にあっては、フォーカスコイル及びトラッキングコイルを可動ブロックに取り付けたので、接続される導電部とフォーカスコイル及びトラッキングコイルとが何れも可動ブロックに設けられているため、接続作業の簡便化を図ることができる。
【００２０】
本発明ディスクドライブ装置は、ディスク状記録媒体が装着されるディスクテーブルと該ディスクテーブルに装着されるディスク状記録媒体に対して対物レンズを介してレーザー光を照射する光ピックアップとを備え、該光ピックアップがディスクテーブルに装着されるディスク状記録媒体の半径方向へ移動される移動ベースと該移動ベースに配置された対物レンズ駆動装置とを有するディスクドライブ装置であって、対物レンズ駆動装置は、少なくとも一部が移動ベースに固定された固定ブロックと、対物レンズと該対物レンズを保持するレンズホルダーとを有すると共に固定ブロックに対して少なくともディスク状記録媒体の記録面に離接する方向であるフォーカス方向及びディスク状記録媒体の略半径方向であるトラッキング方向へ動作される可動ブロックと、固定ブロックと可動ブロックを連結する複数の支持バネと、可動ブロックをフォーカス方向へ動作させマグネットとフォーカスコイルを有するフォーカス調整用磁気回路と、可動ブロックをトラッキング方向へ動作させマグネットとトラッキングコイルを有するトラッキング調整用磁気回路とを備え、可動ブロックのレンズホルダーを第１の樹脂と一部を除いて第１の樹脂の内部に位置される第２の樹脂とによって一体に形成し、第２の樹脂のうち第１の樹脂の表面に露出された部分にメッキ処理を施して所定の接続パターンを有する導通部を形成し、導通部をフォーカスコイル及びトラッキングコイルに接続したことを特徴とする。
【００２１】
従って、第１の樹脂として対物レンズ駆動装置に必要な特性に応じた材料を選択することが可能であり、フォーカスコイル及びトラッキングコイルと支持バネの接続作業における作業性の向上を確保した上で可動ブロックの高い剛性を確保することができる。
【００２２】
本発明光ピックアップの製造方法は、ディスクテーブルに装着されるディスク状記録媒体の半径方向へ移動される移動ベースと該移動ベースに配置された対物レンズ駆動装置とを備え、該対物レンズ駆動装置が、少なくとも一部が移動ベースに固定された固定ブロックと、対物レンズと該対物レンズを保持するレンズホルダーとを有すると共に固定ブロックに対して少なくともディスク状記録媒体の記録面に離接する方向であるフォーカス方向及びディスク状記録媒体の略半径方向であるトラッキング方向へ動作される可動ブロックと、固定ブロックと可動ブロックを連結する複数の支持バネと、可動ブロックをフォーカス方向へ動作させマグネットとフォーカスコイルを有するフォーカス調整用磁気回路と、可動ブロックをトラッキング方向へ動作させマグネットとトラッキングコイルを有するトラッキング調整用磁気回路とを有し、ディスクテーブルに装着されたディスク状記録媒体に対してレーザー光を照射する光ピックアップの製造方法であって、可動ブロックのレンズホルダーを第１の樹脂と一部を除いて第１の樹脂の内部に位置される第２の樹脂とによって一体に形成し、第２の樹脂のうち第１の樹脂の表面に露出された部分にメッキ処理を施して所定の接続パターンを有する導通部を形成し、導通部をフォーカスコイル及びトラッキングコイルに接続したことを特徴とする。
【００２３】
従って、第１の樹脂として対物レンズ駆動装置に必要な特性に応じた材料を選択することが可能であり、フォーカスコイル及びトラッキングコイルと支持バネの接続作業における作業性の向上を確保した上で可動ブロックの高い剛性を確保することができる。
【発明を実施するための最良の形態】
【００２４】
以下に、本発明光ピックアップ、ディスクドライブ装置及び光ピックアップの製造方法の最良の形態を添付図面を参照して説明する。
【００２５】
ディスクドライブ装置１は、外筐２の内部に所要の各部材及び各機構が配置されて成り（図１参照）、外筐２には図示しないディスク挿入口が形成されている。
【００２６】
外筐２の内部には図示しないシャーシが配置され、該シャーシに取り付けられたスピンドルモーターのモーター軸にディスクテーブル３が固定されている。
【００２７】
シャーシには、平行なガイド軸４、４が取り付けられると共に図示しない送りモーターによって回転されるリードスクリュー５が支持されている。
【００２８】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００２９】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されたディスク状記録媒体１００の半径方向（ラジアル方向）へ移動される。
【００３０】
ディスク状記録媒体１００としては、例えば、ＤＶＤ（Digital Versatile Disc）とＣＤ（Compact Disc）が用いられる。これらの各ディスク状記録媒体１００のレーザー光の使用波長は、ＤＶＤが約６６０ｎｍ、ＣＤが約７８０ｎｍである。
【００３１】
対物レンズ駆動装置８はベース部材９と固定ブロック１０と該固定ブロック１０に対して動作される可動ブロック１１とを有している（図２乃至図５参照）。
【００３２】
ベース部材９は磁性金属材料によって形成され、上下方向を向く平板状のベース部９ａと該ベース部９ａの前後両縁からそれぞれ直角に立ち曲げられたヨーク部９ｂ、９ｃ、９ｃとベース部９ａの左右両側縁からそれぞれ直角に立ち曲げられた側壁部９ｄ、９ｄとから成る。ヨーク部９ｂとヨーク部９ｃ、９ｃは前後方向、即ち、ディスク状記録媒体１００のタンジェンシャル方向に離隔して設けられ、ヨーク部９ｃ、９ｃは左右方向、即ち、ディスク状記録媒体１００の半径方向に離隔して設けられている。
【００３３】
ヨーク部９ｂとヨーク部９ｃ、９ｃの互いに対向する面には、それぞれマグネット１２、１２、１２が取り付けられている。
【００３４】
固定ブロック１０は固定部１３と変位部１４と弾性変形部１５、１５とが樹脂材料によって一体に形成されて成り、固定部１３が移動ベース７に固定されている。
【００３５】
固定部１３はベース底面部１６と該ベース底面部１６の左右両端部に連続して設けられ後半部がベース底面部１６より後方に位置されたサイド底面部１７、１７と該サイド底面部１７の左右両端部からそれぞれ上方へ突出された外側面部１８、１８とベース底面部１６の後端部から上方へ突出された壁面部１９と該壁面部１９の左右両端部に連続されサイド底面部１７、１７の内側の側縁部からそれぞれ上方へ突出された側面部２０、２０と壁面部１９の左右方向における中央部から後方へ突出された突出部２１とを有している。
【００３６】
外側面部１８、１８はベース部材９の側壁部９ｄ、９ｄの後側に結合された状態で位置されている。一方の外側面部１８の外面には側方へ突出された突片部１８ａが設けられ、該突片部１８ａは前後に長い板状に形成されている。外側面部１８、１８の外面には、それぞれ前後両端部に側方へ突出された固定用突部１８ｂ、１８ｂ、・・・が設けられている。
【００３７】
突出部２１の後端部にはヨーク２２とマグネット２３が前後で結合された状態で取り付けられている。
【００３８】
固定部１３は、例えば、外側面部１８、１８に設けられた固定用突部１８ｂ、１８ｂ、・・・が移動ベース７に接着や半田付け等により固定されている。
【００３９】
変位部１４は固定部１３の後方に位置され、前後方向を向く略平板状に形成されている。変位部１４の左右方向における中央部にはスキュー用コイル２４が取り付けられ、該スキュー用コイル２４はマグネット２３に対向して位置されている。
【００４０】
変位部１４の後面には、左右に離隔して三つずつの端子部２５、２５、・・・が設けられている（図６参照）。端子部２５、２５、・・・には、それぞれ変位部１４を貫通された支持バネ２６、２６、・・・の各後端部が接続されている。支持バネ２６、２６、・・・は導電性金属材料によって、例えば、ワイヤー状又は板状に形成されている。
【００４１】
固定部１３に取り付けられたヨーク２２及びマグネット２３と変位部１４に取り付けられたスキュー用コイル２４とによってタンジェンシャルスキュー用磁気回路５０が構成される（図２乃至図４参照）。
【００４２】
弾性変形部１５、１５は固定部１３の壁面部１９と変位部１４を連結するように設けられ、前後方向に長く上下に扁平な板状に形成されている。
【００４３】
固定ブロック１０の各部の表面にはメッキ処理が施されて回路パターン２７が形成されている（図６及び図７参照）。回路パターン２７のうち、突片部１８ａに設けられた部分は接続端子部２７ａ、２７ａ、・・・として形成されている。接続端子部２７ａ、２７ａ、・・・は図示しない電源供給回路に接続されている。回路パターン２７の一部は変位部１４の後面に形成された端子部２５、２５、・・・に接続されている。また、回路パターン２７の別の一部は変位部１４の前面に取り付けられたスキュー用コイル２４に接続されている。
【００４４】
可動ブロック１１はレンズホルダー２８と該レンズホルダー２８に保持された対物レンズ２９とを有している（図２乃至図５参照）。
【００４５】
レンズホルダー２８は第１の樹脂３０と第２の樹脂３１によって一体成形される所謂インサート成形によって形成されている。第２の樹脂３１は一部を除き第１の樹脂３０の内部に位置される所謂インサート材として用いられている。
【００４６】
第１の樹脂３０と第２の樹脂３１としては、例えば、ともに液晶ポリマーが用いられ、第１の樹脂３０は第２の樹脂３１より強度（剛性）の大きな樹脂であり、第２の樹脂３１は表面にメッキ処理を施すことに適応する材料である。
【００４７】
尚、第１の樹脂３０及び第２の樹脂３１は、液晶ポリマーに限られることはなく、第１の樹脂３０が強度の大きな材料であり、第２の樹脂３１が表面にメッキ処理を施すことに適応する材料であればよく、例えば、第１の樹脂３０又は第２の樹脂３１として、ＰＥＳ（ポリエーテルサルフォン）、ＰＥＩ（ポリエーテルイミド）、ＰＰＳ（ポリフェニレンサルファイド）やエポキシ樹脂等の熱硬化型の樹脂を用いることも可能である。
【００４８】
インサート材として用いられた第２の樹脂３１は一部が第１の樹脂３０の表面に露出した状態とされている。第２の樹脂３１の体積は第１の樹脂３０の体積に対して、例えば、１０％以下とされている。
【００４９】
レンズホルダー２８の前端部には光透過孔２８ａが形成されている。レンズホルダー２８の左右両側面にはそれぞれ外方へ突出された連結用突部２８ｂ、２８ｂが設けられている。レンズホルダー２８には上下に貫通されたマグネット挿通孔２８ｃ、２８ｄ、２８ｄが形成され、該マグネット挿通孔２８ｃとマグネット挿通孔２８ｄ、２８ｄは光透過孔２８ａの後方において前後に離隔して位置されている。
【００５０】
対物レンズ２９は、図２乃至図４に示すように、光透過孔２８ａを上側から覆う状態でレンズホルダー２８に取り付けられて該レンズホルダー２８に保持される。対物レンズ２９は、ＤＶＤとＣＤの使用波長のレーザー光を集光する機能を有する。対物レンズ２９は略平板状に形成されたプレート部２９ａと該プレート部２９ａの下面に連続し下方へ凸の略半球状に形成された球状部２９ｂとによって構成されている。
【００５１】
レンズホルダー２８の連結用突部２８ｂ、２８ｂにはそれぞれ三つずつの支持バネ２６、２６、・・・の前端部が貫通された状態で連結されている。従って、可動ブロック１１は支持バネ２６、２６、・・・によって固定ブロック１０と連結されて中空に保持される。
【００５２】
支持バネ２６、２６、・・・は上下の中央に位置する支持バネ２６、２６が上下に位置する支持バネ２６、２６、・・・に対して内側に位置されている（図８参照）。支持バネ２６、２６、・・・のこのような位置関係は、対物レンズ２９の球状部２９ｂの形状に対応させた構成であり、球状部２９ｂの側方に存在するスペースに上下の中央に位置する支持バネ２６、２６を位置させている。上下の中央に位置する支持バネ２６、２６を上下に位置する支持バネ２６、２６、・・・に対して内側に位置させることにより、上下に位置する支持バネ２６、２６、・・・を上下方向において近付けて配置することができ、対物レンズ駆動装置８の薄型化を図ることができる。
【００５３】
レンズホルダー２８にはコイル体３２が取り付けられる。コイル体３２は可動ブロック１１をフォーカス方向へ動作させるためのフォーカスコイル３３、３３と可動ブロック１１をトラッキング方向へ動作させるためのトラッキングコイル３４、３４、３４とから成る。フォーカスコイル３３、３３は左右で結合され、トラッキングコイル３４、３４、３４はフォーカスコイル３３、３３の前面に左右に並ぶようにして取り付けられている。二つのフォーカスコイル３３、３３は電気的に接続されておらず、三つのトラッキングコイル３４、３４、３４は１本のコイル線が巻回されて構成され電気的に接続されている。
【００５４】
フォーカス方向はディスク状記録媒体１００に離接する方向（図４に示すＦ方向）、即ち、上下方向であり、トラッキング方向はディスク状記録媒体１００の半径方向（図４に示すＴＲ方向）、即ち、左右方向である。また、フォーカス方向及びトラッキング方向にともに直交する方向がディスク状記録媒体１００の記録トラックの接線方向であるタンジェンシャル方向（図４に示すＴＡＮ方向）、即ち、前後方向とされる。
【００５５】
コイル体３２はフォーカスコイル３３、３３がマグネット挿通孔２８ｄ、２８ｄに対応した状態でレンズホルダー２８の下面に取り付けられ、トラッキングコイル３４、３４、３４はマグネット挿通孔２８ｃとマグネット挿通孔２８ｄ、２８ｄの間に位置される。
【００５６】
コイル体３２が取り付けられた可動ブロック１１が支持バネ２６、２６、・・・に支持された状態においては、コイル体３２のフォーカスコイル３３、３３の内部にそれぞれベース部材９のヨーク部９ｃ、９ｃと該ヨーク部９ｃ、９ｃに取り付けられたマグネット１２、１２とが挿入され、トラッキングコイル３４、３４、３４がベース部材９のヨーク部９ｂに取り付けられたマグネット１２に対向して位置される。このときヨーク部９ｃ、９ｃとこれに取り付けられたマグネット１２、１２の上方にはレンズホルダー２８のマグネット挿通孔２８ｄ、２８ｄが位置され、ヨーク部９ｂとこれに取り付けられたマグネット１２の上方にはレンズホルダー２８のマグネット挿通孔２８ｃが位置される。
【００５７】
ベース部材９と該ベース部材９に取り付けられたマグネット１２、１２、１２とコイル体３２のフォーカスコイル３３、３３とによってフォーカス調整用磁気回路６０が構成され、ベース部材９と該ベース部材９に取り付けられたマグネット１２、１２、１２とコイル体３２のトラッキングコイル３４、３４、３４とによってトラッキング調整用磁気回路７０が構成される。
【００５８】
レンズホルダー２８の連結用突部２８ｂ、２８ｂとその近傍の部分には、所定の接続パターンを有する導通部３５が形成されている（図９参照）。導通部３５は、第２の樹脂３１の第１の樹脂３０の表面に露出した部分に銅等によるメッキ処理が施されることにより形成されている。
【００５９】
導通部３５は成形回路部品（ＭＩＤ：Molded Interconnect Device）の技術を用いてレンズホルダー２８の表面に形成されている。ＭＩＤの技術とは、樹脂成形品の表面に接続回路（接続パターン）を三次元的に形成する成形技術である。
【００６０】
導通部３５はレンズホルダー２８における連結用突部２８ｂ、２８ｂとその近傍の部分以外の所定の部分にも形成されている。
【００６１】
導通部３５は、一方のフォーカスコイル３３に接続される第１のコイル接続部３５ａ、３５ａと、他方のフォーカスコイル３３に接続される第２のコイル接続部３５ｂ、３５ｂと、トラッキングコイル３４、３４、３４に接続される第３のコイル接続部３５ｃ、３５ｃとを有している。
【００６２】
第１のコイル接続部３５ａ、３５ａはそれぞれ半田３６、３６によって上下の中央に位置する支持バネ２６、２６の前端部に接続され、第２のコイル接続部３５ｂ、３５ｂはそれぞれ半田３７、３７によって下側に位置する支持バネ２６、２６の前端部に接続され、第３のコイル接続部３５ｃ、３５ｃはそれぞれ半田３８、３８によって上側に位置する支持バネ２６、２６の前端部に接続されている。
【００６３】
第１のコイル接続部３５ａ、３５ａは連結用突部２８ｂ、２８ｂからレンズホルダー２８の下面に亘って形成され、下面に形成された部分が図示しない半田によって一方のフォーカスコイル３３に接続されている。従って、上下の中央に位置する支持バネ２６、２６は、第１のコイル接続部３５ａ、３５ａによってそれぞれ一方のフォーカスコイル３３の両端部に接続される。
【００６４】
第２のコイル接続部３５ｂ、３５ｂは連結用突部２８ｂ、２８ｂからレンズホルダー２８の下面に亘って形成され、下面に形成された部分が図示しない半田によって他方のフォーカスコイル３３に接続されている。従って、下側に位置する支持バネ２６、２６は、第２のコイル接続部３５ｂ、３５ｂによってそれぞれ他方のフォーカスコイル３３の両端部に接続される。
【００６５】
第３のコイル接続部３５ｃ、３５ｃは連結用突部２８ｂ、２８ｂの前面から側面に亘って形成され、側面に形成された部分が半田３９、３９によってトラッキングコイル３４、３４、３４に接続されている。従って、上側に位置する支持バネ２６、２６は、第３のコイル接続部３５ｃ、３５ｃによってそれぞれトラッキングコイル３４、３４、３４の両端部に接続される。
【００６６】
電源回路から固定ブロック１０の表面に形成された回路パターン２７、支持バネ２６、２６、・・・及び導通部３５を介してフォーカスコイル３３、３３又はトラッキングコイル３４、３４、３４に駆動電流が供給されると、これらの駆動電流の向きとマグネット１２、１２、１２及びヨーク部９ｂ、９ｃ、９ｃにより発生する磁束の方向とに応じた向きの力が発生し、可動ブロック１１がフォーカス方向又はトラッキング方向へ移動される。
【００６７】
可動ブロック１１がフォーカス方向又はトラッキング方向へ動作されるときには、支持バネ２６、２６、・・・が弾性変形される。
【００６８】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００６９】
この記録動作及び再生動作において、フォーカスコイル３３、３３に駆動電流が供給されると、上記したように、対物レンズ駆動装置８の可動ブロック１１が固定ブロック１０に対して図４に示すフォーカス方向Ｆ−Ｆへ動作され、移動ベース７に設けられた図示しない半導体レーザーから出射され対物レンズ２９を介して照射されるレーザー光のスポットがディスク状記録媒体１００の記録面に集光するようにフォーカス調整が行われる。
【００７０】
また、トラッキングコイル３４、３４、３４に駆動電流が供給されると、上記したように、対物レンズ駆動装置８の可動ブロック１１が固定ブロック１０に対して図４に示すトラッキング方向ＴＲ−ＴＲへ動作され、半導体レーザーから出射され対物レンズ２９を介して照射されるレーザー光のスポットがディスク状記録媒体１００の記録トラック上に集光するようにトラッキング調整が行われる。
【００７１】
一方、電源回路から固定ブロック１０の表面に形成された回路パターン２７を介してスキュー用コイル２４に駆動電流が供給されると、これらの駆動電流の向きとマグネット２３及びヨーク２２より発生する磁束の方向とに応じた向きの力が発生し、弾性変形部１５、１５が上下方向へ撓んで変位部１４が固定部１３に対して略上下方向へ変位される。変位部１４が略上下方向へ変位されると、該変位部１４に支持バネ２６、２６、・・・を介して連結されている可動ブロック１１が変位部１４の変位に伴ってトラッキング方向に直交する面内において移動され、光軸がディスク状記録媒体１００の記録面に垂直となるようにタンジェンシャル方向のスキュー調整が行われる。
【００７２】
また、可動ブロック１１に取り付けられたコイル体３２のフォーカスコイル３３、３３に供給する駆動電流の量を左右で変化させたり、フォーカスコイル３３、３３に逆方向への駆動電流を供給することにより、タンジェンシャル方向の軸を中心とした回転方向に可動ブロック１１を移動させて、光軸がディスク状記録媒体１００の記録面に垂直となるようにラジアル方向のスキュー調整を行うことが可能である。
【００７３】
以上に記載した通り、光ピックアップ６にあっては、可動ブロック１１のレンズホルダー２８を第１の樹脂３０と第２の樹脂３１によって一体に形成し、第２の樹脂３１のうち第１の樹脂３０の表面に露出された部分にメッキ処理を施して所定の接続パターンを有する導通部３５を形成し、該導通部３５をフォーカスコイル３３、３３及びトラッキングコイル３４、３４、３４に接続している。
【００７４】
従って、第１の樹脂３０として対物レンズ駆動装置８に必要な特性に応じた材料を選択することが可能であり、フォーカスコイル３３、３３及びトラッキングコイル３４、３４、３４と支持バネ２６、２６、・・・の接続作業における作業性の向上を確保した上で可動ブロック１１の高い剛性を確保することができ、ディスク状記録媒体１００の回転の高速化に伴う可動ブロック１１の動作の高速化を図ることができる。
【００７５】
特に、可動ブロック１１の動作時における良好な２次共振特性（周波数）を確保してディスク状記録媒体１００の高倍速化に対応することができる。
【００７６】
また、第１の樹脂３０の材料の選択の幅が広がるため、例えば、第１の樹脂３０として耐熱性の高い材料を選択することにより、高温の環境下においても可動ブロック１１の良好な動作特性を確保することが可能となる。
【００７７】
さらに、レンズホルダー２８の表面にＭＩＤ技術を用いて導通部３５を形成することにより、三次元的な配線が可能となり、設計の自由度の向上を図ることができる。
【００７８】
さらにまた、インサート材として用いられる第２の樹脂３１が電気導電性を有しないため、第２の樹脂３１の表面に複数の接続パターンを形成することが可能となり、設計の自由度の向上を図ることができる。
【００７９】
加えて、光ピックアップ６にあっては、第２の樹脂３１の一部を除いた部分が第１の樹脂３０の内部に位置されており、第１の樹脂３０の剛性が第２の樹脂３１の剛性より高くされているため、剛性の低い第２の樹脂３１を覆うように第１の樹脂３０が位置されており、例えば、可動ブロック１１の表層部に第２の樹脂３１が設けられている場合に比し、可動ブロック１１の剛性を全体として高めることができる。
【００８０】
また、第２の樹脂３１のうちメッキ処理を施す部分のみが可動ブロック１１の表層部に位置されているため、メッキ処理を施す部分が明確であり、また、不必要な箇所にメッキ処理が施されることがなく、メッキ処理の作業における作業性の向上を図ることができる。
【００８１】
さらにまた、可動ブロック１１にフォーカスコイル３３、３３とトラッキングコイル３４、３４、３４とから成るコイル体３２を取り付け、フォーカスコイル３３、３３及びトラッキングコイル３４、３４、３４と可動ブロック１１に形成された導通部３５とを接続することにより、接続される各部が何れも可動ブロック１１に設けられているため、接続作業の簡便化を図ることができる。
【００８２】
尚、上記には、固定部１３に対して移動可能な変位部１４とレンズホルダー２８にそれぞれスキュー用コイル２４とコイル体３２を取り付けた所謂ムービングコイル型の対物レンズ駆動装置８を例として示したが、逆に、変位部１４とレンズホルダー２８にそれぞれマグネットを取り付けた所謂ムービングマグネット型の対物レンズ駆動装置とすることも可能である。
【００８３】
また、上記には、一つの対物レンズ２９を有する対物レンズ駆動装置８を例として示したが、対物レンズ２９の数は用いられるディスク状記録媒体１００の種類や対物レンズ２９の特性に応じて任意に定められ、対物レンズ２９の数は任意である。
【００８４】
上記には、フォーカス方向を上下方向、トラッキング方向を左右方向、タンジェンシャル方向を前後方向として説明したが、これらの方向は説明の便宜上、例として示したものであり、特にこれらの方向に限定されることはない。
【００８５】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８６】
【図１】図２乃至図９と共に本発明光ピックアップ及びディスクドライブ装置を実施するための最良の形態を示すものであり、本図はディスクドライブ装置の概略斜視図である。
【図２】対物レンズ駆動装置を固定ブロックに形成された回路パターンを省略して示す分解斜視図である。
【図３】対物レンズ駆動装置を固定ブロックに形成された回路パターンを省略し一部を分解して示す拡大斜視図である。
【図４】対物レンズ駆動装置を固定ブロックに形成された回路パターンを省略して示す拡大斜視図である。
【図５】図４のＶ−Ｖ線に沿う断面図である。
【図６】対物レンズ駆動装置の拡大背面図である。
【図７】対物レンズ駆動装置の拡大平面図である。
【図８】対物レンズと支持バネの位置関係を示す概念図である。
【図９】可動ブロックの拡大斜視図である。
【符号の説明】
【００８７】
１…ディスクドライブ装置、３…ディスクテーブル、６…光ピックアップ、７…移動ベース、８…対物レンズ駆動装置、１０…固定ブロック、１１…可動ブロック、１２…マグネット、２６…支持バネ、２８…レンズホルダー、２９…対物レンズ、３０…第１の樹脂、３１…第２の樹脂、３３…フォーカスコイル、３４…トラッキングコイル、３５…導通部、６０…フォーカス調整用磁気回路、７０…トラッキング調整用磁気回路、１００…ディスク状記録媒体
【図１】
2009026365.tif 000003
【図２】
2009026365.tif 000004
【図３】
2009026365.tif 000005
【図４】
2009026365.tif 000006
【図５】
2009026365.tif 000007
【図６】
2009026365.tif 000008
【図７】
2009026365.tif 000009
【図８】
2009026365.tif 000010
【図９】
2009026365.tif 000011